(57)【要約】【課題】  操作突起に金属の重りを入れることなく、使用時の回動の際に自らの重心により、中立状態すなわち鉛直下方の位置に直ちに復帰することができる便器洗浄レバーを提供することを課題とする。【解決手段】  便器洗浄レバーの材料をプラスチック材と着磁性の金属粉からなる複合材料で構成し、成形に使用する射出成形用金型において操作突起１ａを永久磁石または電磁コイルにて着磁させることにより、射出成形時に金属粉が操作突起１ａに局所的に偏在するようにした。【選択図】  図２
2005146614.tif 000002
【特許請求の範囲】
【請求項１】
水洗式の便器の洗浄水を供給するロータンクに取り付けられ、回動軸を覆う基部と、前記基部の側面に設けられた操作突起とからなる、洗浄水の供給動作を行う便器洗浄レバーにおいて、前記便器洗浄レバーを、樹脂に金属粉を混入した混合材で構成するとともに、前記便器洗浄レバーの基部よりも操作突起に前記金属粉を多く混入させてなることを特徴とする便器洗浄レバー。
【請求項２】
前記金属粉を着磁性としたことを特徴とする請求項１記載の便器洗浄レバー。
【請求項３】
前記金属粉充填量が便器洗浄レバー重量に対し、５０重量％〜８０重量％としたことを特徴とする請求項１もしくは２記載の便器洗浄レバー。
【請求項４】
請求項２または３に記載の便器洗浄レバーの製造方法であって、前記射出成形用の金型をキャビティー部とコア部で構成するとともに、前記キャビティー部とコア部における前記便器洗浄レバーの操作突起を形成する部分に磁力を発生させて前記便器洗浄レバーの基部よりも操作突起に金属粉を多く混入したことを特徴とする便器洗浄レバーの製造方法。
【発明の詳細な説明】
【技術分野】
【０００１】
本発明は、洋式便所などに設置されている腰掛け式便器に使用されている水周り用部品に関し、詳しくは洗浄水を供給するロータンクに取り付けられる、便器洗浄レバーおよびその製造方法に関する。
【背景技術】
【０００２】
便器への給水構造は、図１に示すように、ロータンク２を備えた腰掛け式便器３において、便器洗浄の際は、便器洗浄レバー１を操作することにより一定水量または、便器洗浄レバー１を洗浄側に保持している時間給水するという方法がとられている。前記便器へ洗浄水を供給するための便器洗浄レバーには、使用者が回動操作しやすいように操作突起がついている。使用者はこの操作突起を持って左右いずれかの方向に回動させるが、通常便器への洗浄水供給は、大量な洗浄水を供給する「大」と少量の洗浄水を供給する「小」に分けられており、例えば左に回動させれば「大」、右に回動させれば「小」といった様になっている。
【０００３】
このため、使用時に左右のどちらかへ回動させ、回動させた後には便器洗浄レバーの操作突起はその自らの重心により、中立状態すなわち鉛直下方の位置に復帰するのが好ましく、また、非使用時においても便器洗浄レバーの操作突起は中立状態すなわち鉛直下方に位置しているのが好ましい。
従って、プラスチック材料で成形された便器洗浄レバーの操作突起においては、常に便器洗浄レバーが鉛直下方に位置するように、操作突起部は重い方がよく、該部には金属などの重りを入れる方法がとられている（例えば特許文献１参照）。
【特許文献１】実開昭５５−２８６５７号公報
【０００４】
一方、プラスチック材料で成形された便器洗浄レバーの全体を重くすることにより、便器洗浄レバーの回動時に金属製レバーのような重量感を使用者に与え、プラスチック材料で成形された便器洗浄レバーに高級感を与えることができることが知られている。
ところで、プラスチック材料による成形体を重くする一つの方法として、金属を充填させたプラスチック材料を用いて成形体を得る方法がある。金属を充填させたプラスチック成形体の例としては、銅等の非磁性体の金属粉を充填させたプラスチックを射出成形することによって、スピーカーフェイズプラグの成形体を得る方法などが公知である（例えば特許文献２参照）。
【特許文献２】特開平７−２３１４９４号公報
【発明の開示】
【発明が解決しようとする課題】
【０００５】
しかしながら、この従来技術を前記便器洗浄レバーに適用する場合、成形品全体の比重が上がり、従来のプラスチック材料で成形された便器洗浄レバーが常に鉛直下方に位置するように操作突起部へ金属製の重りを入れても、本来、重たくしたい操作突起部の比重を効果的に上げることができなくなるという問題が生じる。
【０００６】
本発明は、上記問題を解決するためになされたもので、操作突起に金属の重りを入れることなく、使用時の回動の際に自らの重心により、中立状態すなわち鉛直下方の位置に直ちに復帰することができる便器洗浄レバーを提供することを課題とする。
【課題を解決するための手段】
【０００７】
上記目的を達成するためになされた請求項１記載の発明は、水洗式の便器の洗浄水を供給するロータンクに取り付けられ、回動軸を覆う基部と、前記基部の側面に設けられた操作突起とからなる、洗浄水の供給動作を行う便器洗浄レバーにおいて、前記便器洗浄レバーを樹脂に金属粉を混入した混合材で構成するとともに、前記便器洗浄レバーの基部よりも操作突起に前記金属粉を多く混入させたことを特徴とする。これにより、操作突起部に金属などの重りを入れることなく、一体成形による便器洗浄レバーを提供することができ、非使用時および使用時に便器洗浄レバーを回動させた際に、その自らの重心により、中立状態すなわち鉛直下方の位置に直ちに復帰し、便器洗浄レバーの操作性を向上させることができる。
【０００８】
上記目的を達成するためになされた請求項２記載の発明は、請求項１に記載の便器洗浄レバーにおいて、充填する金属紛が着磁性であることを特徴とする。これにより、前記便器洗浄レバーの製造時に金属紛を便器洗浄レバーの操作突起に効果的に偏在させることができる。
【０００９】
上記目的を達成するためになされた請求項３記載の発明は、請求項１もしくは２記載の便器洗浄レバーにおいて、金属粉の充填量が便器洗浄レバー重量に対し、５０重量％〜８０重量％としたことを特徴とする。これによって、前記便器洗浄レバーの製造時に金属粉の便器洗浄レバーの操作突起における偏在割合が大きくなり、金属粉をより効果的に偏在させることができる。
【００１０】
上記目的を達成するためになされた請求項４記載の発明は、前記請求項１〜３に記載の便器洗浄レバーの製造方法において、前記射出成形用の金型をキャビティー部とコア部で構成するとともに、前記キャビティー部とコア部の前記便器洗浄レバーの操作突起を形成する部分に  磁力を発生して前記金属粉を集中させることを特徴とする。これにより、樹脂に金属粉を充填した混合材を射出成形機で金型内に充填させる際に、金属粉を便器洗浄レバーの操作突起に瞬時に偏在させることができる。
【発明の効果】
【００１１】
本発明によれば、便器洗浄レバーの操作突起部分に金属紛をより多く偏在させることにより、該部に金属などの重りを入れることなく、その非使用時および使用時に便器洗浄レバーを回動させた際に、その自らの重心により、中立状態すなわち鉛直下方の位置に直ちに復帰することができる操作性のよい便器洗浄レバーを一体成形にて提供することができる。
【発明を実施するための最良の形態】
【００１２】
以下に、図を用いて本発明の実施の形態に関し、詳説する。
【００１３】
図２は本発明の便器洗浄レバーを裏面から見た平面図である。
便器洗浄レバー１はプラスチック材（樹脂）と着磁性の金属粉からなる複合材料で構成され、回動軸１ｃを略同心状に覆ってなる基部１ｂと、その基部１ｂの側面から下方に延在するように設けられた操作突起１ａからなる。操作突起１ａに金属粉をより多く含むように金属粉が偏在し、便器洗浄レバー１の中で比重が局所的に大きくなっている。プラスチック材に対する金属粉の充填量としては、５０重量％〜８０重量％が望ましく、さらには５０重量％〜５５重量％程度がより好ましい。充填量が５０重量％より小さくなると、操作突起１ａに金属粉が偏在する効果が薄くなり、また充填量が８０重量％より大きくなると、射出成形時に樹脂の流動性が低下し、良好な成形品が得られなくなる。
【００１４】
本発明で用いるプラスチック材料としては、アクリロニトリル・ブタジエン・スチレン共重合体、ポリアミド、ポリアセタール、ポリフェニレンエーテル（変性ＰＰＯを含む）、ポリカーボネート、アクリロニトリル・ブタジエン・スチレン共重合体とポリカーボネートのポリマーアロイ等の中から選択することができる。特にこの中でも便器洗浄レバー表面へのメッキによる加飾のしやすさから、アクリロニトリル・ブタジエン・スチレン共重合体を使用するのが好ましい。
【００１５】
また、本発明で用いる着磁性の金属粉としては、炭素鋼、ステンレス鋼、タングステン系やモリブデン系の工具鋼を使用することができる。
【００１６】
図３に本発明における便器洗浄レバーの成形に使用する射出成形用金型の断面図を示す。金型はキャビティ型４、コア型５から構成され、ランナー部６、ゲート部７を通じ、製品部１に金属粉とプラスチックの複合材料から成る成形用材料が充填される。ここでキャビティ型４には永久磁石Ｖが埋設され、コア型５にも永久磁石Ｗが埋設されており、操作突起１ａの金型表面が着磁した状態になっている。この状態にて着磁性の金属粉とプラスチックの複合材料からなる成形用材料をゲート部７より充填させると、成形用材料の含有される着磁性の金属粉が操作突起１ａに瞬時に偏在し、その結果、操作突起１ａの比重が局所的に大きくなる。
【００１７】
ここで埋設させる永久磁石Ｖおよび永久磁石Ｗは操作突起１ａの金型表面を着磁するのに十分な磁力を印加し得るものであればいずれのものでもよい。例えば、Ｎｄ−Ｆｅ−Ｂ合金，Ｓｍ−Ｃｏ合金，Ｃｅ−Ｃｏ合金等の希土類磁石、Ｓｒフェライト，Ｂｒフェライト等のフェライト磁石、アルニコ磁石などのいずれかを使用することができる。
【００１８】
図４に、本発明における便器洗浄レバーの成形に使用する射出成形用金型の別実施例の断面図を示す。金型はキャビティ型４、コア型５から構成され、ランナー部６、ゲート部７を通じ、製品部１に金属粉とプラスチック材の複合材料から成る成形用材料が充填される。ここでキャビティ型４には電磁コイルＸが埋設され、コア型５にも電磁コイルＹが埋設されている。
【００１９】
成形時これら電磁コイルに電流を流すことにより、操作突起１ａの金型表面が着磁した状態になっている。この状態にて着磁性の金属粉とプラスチック材の複合材料からなる成形用材料をゲート部７より充填させると、成形用材料の含有される磁性体の金属粉が操作突起１ａに瞬時に偏在し、その結果、操作突起１ａの比重が局所的に大きくなる。
【図面の簡単な説明】
【００２０】
【図１】便器洗浄レバーを有するロータンクを備えた腰掛け式便器の側面図である。
【図２】本発明の便器洗浄レバーを裏面から見た平面図である。
【図３】本発明の便器洗浄レバーの成形に使用し、永久磁石にて着磁させた射出成形用金型の断面図である。
【図４】本発明の便器洗浄レバーの成形に使用し、電磁コイルにて着磁させた射出成形用金型の別実施例の断面図である。
【符号の説明】
【００２１】
１…便器洗浄レバー、１ａ…操作突起、１ｂ…基部、１ｃ…回転軸、２…ロータンク、３…腰掛け式便器、４…キャビティ型、５…コア型、６…ランナー、７…ゲート、Ｖ…永久磁石、Ｗ…永久磁石、Ｘ…電磁コイル、Ｙ…電磁コイル
【図１】
2005146614.tif 000003
【図２】
2005146614.tif 000004
【図３】
2005146614.tif 000005
【図４】
2005146614.tif 000006